(57)【特許請求の範囲】
【請求項１】
時計の筐体内に所定の範囲で移動自在に案内され、押圧操作に応じて前記時計に内蔵されたスイッチの状態を操作するスイッチ体と、
前記押圧操作に抗する向きに前記スイッチ体を付勢する弾性手段と、
解放位置にある前記スイッチ体への押圧操作によって移動する当該スイッチ体を第１の押し込み停止位置で停止させ、前記第１の押し込み停止位置にある押圧が解放され前記弾性手段の付勢力によって移動するスイッチ体を押し込み位置に停止させ、当該押し込み位置にあるスイッチ体への押圧操作によって移動する当該スイッチ体を第２の押し込み停止位置に停止させ、前記第２の押し込み停止位置にあり押圧が解放され前記付勢力によって移動するスイッチ体を前記解放位置で停止させる、前記スイッチ体の有する可撓性の弾性アームの係合部と係合するカム部と、を具備する目覚し時計の鳴り止めスイッチ装置において、
前記カム部は、前記弾性アームの係合部と係合し、かつ、前記弾性アームの配置方向上に略位置する、前記スイッチ体を前記解放位置に停止させる解放位置用係止部および前記押し込み位置に停止させる押し込み位置用係止部と、
前記弾性アームの係合部と係合し、かつ、前記弾性アームの両側に位置する前記スイッチ体を前記第１および第２の押し込み停止位置に停止させる第１および第２の押し込み停止位置用係止部と、
前記弾性アームの係合部を前記解放位置用係止部、第１の押し込み停止位置用係止部、押し込み位置用係止部および第２の押し込み停止位置用係止部の順に案内する案内手段と、
前記各係止部に移動する前記弾性アームの係合部が摺動する摺動面と、
前記摺動面上に形成され当該係合部が摺動する、前記係合部の進行方向に向けて登る複数の傾斜面を有し、前記傾斜面の頂部と前記摺動面との間に形成される壁面によって前記弾性アームの係合部の逆行を防ぐ逆行防止手段と、を具備し、  隣り合う前記各傾斜面間に存在する摺動面のうち、少なくとも前記各係止部に停止した状態の係合部が位置する摺動面が同一面上にある
時計のスイッチ装置。
【請求項２】
時計の筐体内に所定の範囲で移動自在に案内され、押圧操作に応じて前記時計に内蔵されたスイッチの状態を操作するスイッチ体と、
前記押圧操作に抗する向きに前記スイッチ体を付勢する弾性手段と、
解放位置にある前記スイッチ体への押圧操作によって移動する当該スイッチ体を第１の押し込み停止位置で停止させ、前記第１の押し込み停止位置にある押圧が解放され前記弾性手段の付勢力によって移動するスイッチ体を押し込み位置に停止させ、当該押し込み位置にあるスイッチ体への押圧操作によって移動する当該スイッチ体を第２の押し込み停止位置に停止させ、前記第２の押し込み停止位置にあり押圧が解放され前記付勢力によって移動するスイッチ体を前記解放位置で停止させる、前記スイッチ体の有する可撓性の弾性アームの係合部と係合するカム部と、を具備する目覚し時計の鳴り止めスイッチ装置において、
前記カム部は、前記弾性アームの係合部と係合し、かつ、前記弾性アームの配置方向上に略位置する、前記スイッチ体を前記解放位置に停止させる解放位置用係止部および前記押し込み位置に停止させる押し込み位置用係止部と、
前記弾性アームの係合部と係合し、かつ、前記弾性アームの両側に位置する前記スイッチ体を前記第１および第２の押し込み停止位置に停止させる第１および第２の押し込み停止位置用係止部と、
前記弾性アームの係合部を前記解放位置用係止部、第１の押し込み停止位置用係止部、押し込み位置用係止部および第２の押し込み停止位置用係止部の順に案内する案内手段と、
前記各係止部に移動する前記弾性アームの係合部が摺動する摺動面と、
前記摺動面上に形成され当該係合部が摺動する、前記係合部の進行方向に向けて登る複数の傾斜面を有し、前記傾斜面の頂部と前記摺動面との間に形成される壁面によって前記弾性アームの係合部の逆行を防ぐ逆行防止手段と、を具備し、  前記弾性アームの係合部は、少なくとも前記第１の押し込み停止位置用係止部部に位置する状態で前記傾斜面と対向し、かつ、前記弾性アームの前記摺動面に沿った方向の撓み量を減少させる向きに傾斜した傾斜面部を有する
時計のスイッチ装置。
【発明の詳細な説明】
【０００１】
【発明の属する技術分野】
本発明は、たとえば、目覚し時計等の時計に具備された鳴り止めスイッチ等のスイッチの状態を操作する時計のスイッチ装置に関する。
【０００２】
【従来の技術】
従来の目覚時計の鳴り止めスイッチとして、たとえば、図１７に示すものが知られている。
図１７において、図示しない目覚し時計本体に内蔵された時計ムーブメントのケース１は、スイッチ体２が所定の方向に移動自在に保持されている。
すなわち、スイッチ体２は、スイッチ体２の４か所に形成された案内面部２４がケース１の４か所に突設された案内突起４の側部に形成された図示しない凹部に係合して矢印Ｂ１およびＢ２方向に移動自在に案内されている。
スイッチ体２には、矢印Ｂ１およびＢ２方向に延びるレバー腕部２６が設けられており、このレバー腕部２６がスイッチ体２の移動に応じて時計ムーブメント内に設けられた目覚し時計の状態を操作するための目安スイッチと係合して、当該スイッチの接続状態を操作する。
また、スイッチ体２の下端部にはばね受け部１７が設けられ、ケース１にはばね受け部１７に対向する位置に収納枠１１が設けられ、ばね受け部１７と収納枠１１との間に圧縮ばね７が設けられている。圧縮ばね７の基部８は、収納枠１１の側壁の中途部に形成された段壁部１３に係合しており、圧縮ばね７の先端部はスイッチ体２のばね受け部１７に係合しており、スイッチ体２は圧縮ばねによって矢印Ｂ１方向に付勢されている。
また、スイッチ体２には矢印Ｂ１およびＢ２方向に延びるストッパ片２１が形成され、ケース１にはストッパ用突部２０が形成されており、スイッチ体２の往復移動時に、ストッパ片２１の先端がストッパ用突部２０に当接し、スイッチ体２の移動を規制する。
【０００３】
ケース１の所定の位置には、ハート形カム３が形成されており、スイッチ体２には、ハート形カム３に係合して従動する係合部６ａが先端部に設けられた弾性アーム６が一体に設けられている。
このハート形カム３は、スイッチ体２がケース１に対して矢印Ｂ１、Ｂ２方向に移動した際に、弾性アーム６の係合部６ａと係合し、弾性アーム６を弾性変形させながら弾性アーム６の係合部６ａをスイッチ体２の操作状態に応じた位置に係止させる。
【０００４】
ここで、上記したハート形カム３の具体的構造を図１８に示す。
図１８に示すように、ハート形カム３は、周囲にハート形に形成された周壁部５に囲まれた領域には、案内凸部９が設けられており、案内凸部９と周壁部５との間には弾性アーム６の係合部６ａが摺動するカム面３ａ〜３ｈが形成されている。
図１９は上記のカム面３ａ〜３ｈの高低を示す図であり、図１９に示すように、カム面３ａは水平面であり、カム面３ｂはカム面３ａに連続する傾斜面であり、カム面３ｃはカム面３ｂの頂部に連続する水平面である。
カム面３ｄはカム面３ｃとの間に段差を有する水平面であり、カム面３ｅはカム面３ｄとの間に段差を有する水平面であり、カム面３ｆはカム面３ｅとの間に段差を有する水平面であり、カム面３ｇはカム面３ｆと連続する傾斜面であり、カム面３ｈはカム面３ｇの頂部と連続する水平面である。また、カム面３ａとカム面３ｆとは同じ高さの水平面である。
【０００５】
上記のように構成されるハート形カム３において、スイッチ体２の弾性アーム６の係合部６ａは、ハート形カム３の周壁部５の内周側面、案内凸部９の外周側面のいずれかに係合し、カム面３ａ〜３ｈを摺動しながらスイッチ体２の移動に応じてハート形カム３内を移動する。
たとえば、スイッチ体２がオン状態の位置、すなわち、スイッチ体２が目覚し時計本体から突出した状態では、弾性アーム６の係合部６ａは、ハート形カム３の周壁部５の内周側面の係止位置Ｋ１に位置しており、弾性アーム６は撓んだ状態にない。
【０００６】
この状態から、スイッチ体２を図１７の矢印Ａの方向に押圧してスイッチをオフ状態すると、係合部６ａは、案内凸部９の側面の案内面９ａに案内されながら傾斜面であるカム面３ｂを上り、カム面３ｃを通ってカム面３ｄに落ち、周壁部５の内周側面の係止位置Ｋ２に係止し、上記したレバー腕部２６がスイッチをオフする。
弾性アーム６の係合部６ａが係止位置Ｋ１からＫ２に移動すると、係合部６ａは図中右方向に位置し、また、カム面３ａとカム面３ｄの高さが異なるので、弾性アーム６は撓む。この撓みは、カム面３ａ〜３ｈに沿った方向と垂直な方向のいずれの方向にも発生する。
【０００７】
この状態から、スイッチ体２に作用する押圧力を除去すると、スイッチ体２は圧縮バネ７の付勢力によって図１７の矢印Ｂ１の向きに移動する。このとき、係合部６ａは、案内凸部９の側面の案内面９ｂに案内されながらカム面３ｄ上を摺動し、カム面３ｅ上に落ち、案内凸部９の側面の係止位置Ｋ３に係止する。
弾性アーム６の係合部６ａが係止位置Ｋ３に移動することにより、係合部６ａはハート形カム３の略中央に位置するので、撓んだ状態にあった弾性アーム６のカム面３ａ〜３ｈに沿った方向の撓みは略なくなるが、カム面３ａ〜３ｈに垂直な方向では、カム面３ｅと３ａとの高さが異なるので撓んだ状態にある。
【０００８】
再度、スイッチをオンするときには、スイッチ体２に再度押圧力を加える。スイッチ体２は、目覚し時計本体に対して押し込まれ、弾性アーム６の係合部６ａは、周壁部５の内周側面に案内されながら、カム面３ｆに落ち、周壁部５の内周側面の係止位置Ｋ４に係止する。
この状態では、弾性アーム６のカム面３ａ〜３ｈに沿った方向において係合部６ａは図中左側に位置し、上記とは逆の撓みが発生し、カム面３ａ〜３ｈに垂直な方向では、カム面３ｆと３ａとの高さが同じであるので撓んでいない。
スイッチ体２への押圧力を除去すると、スイッチ体２は圧縮バネ７の付勢力によって図１７の矢印Ｂ１の向きに移動し、弾性アーム６の係合部６ａは、カム面３ｆを摺動し、周壁部５の内周側面に案内されながらカム面３ｇを上り、カム面３ｈを通過して、再度カム面３ａに落ち、係止位置Ｋ１に再度復帰し、スイッチはオンする。
【０００９】
【発明が解決しようとする課題】
たとえば、上述した鳴り止めスイッチを備えた目覚し時計を出荷時に箱詰包装した状態では、スイッチ体２が目覚し時計本体に対して押し込まれた状態になる可能性がある。
スイッチ体２が目覚し時計本体に対して押し込まれた状態にあると、弾性アーム６の係合部６ａが、上記の係止位置Ｋ２、Ｋ３、Ｋ４のいずれかに位置することになり、弾性アーム６は、カム面３ａ〜３ｈに沿った方向あるいはカム面３ａ〜３ｈに垂直な方向に撓んだ状態となってしまう。
弾性アーム６が撓んだ状態が長時間保持されたり、高温状態で保存されたりすると、弾性アーム６が一体に形成されたスイッチ体２は、たとえば、合成樹脂材料で形成されているため、弾性アーム６が変形してしまう可能性があった。
たとえば、弾性アーム６が係止位置Ｋ２で変形すると、係合部６ａがカム面３ｄと３ｆとの間の段差で落ちにくくなったり、カム面３ｅと３ｆとの間の段差で落ちにくくなったりし、係合部６ａがカム面を逆行してスイッチ体２の操作が適切に行えなくなることがあった。
このため、従来においては、弾性アーム６が一体に形成されたスイッチ体２の形成材料に耐熱性が高い高価な材料を用いたり、弾性アーム６を別部材にし、ばねを引っ張りばねにする等の対策を採っていたが、コストアップになり、また、自動組み立てがやりにくいという不利益が存在した。
【００１０】
本発明は、上述した問題に鑑みてなされたものであって、たとえば、目覚し時計に内蔵された鳴り止めスイッチ等の時計のスイッチ装置において、スイッチ装置のスイッチ体の具備する弾性アームの変形に起因するスイッチ操作の不具合を解消することができる時計のスイッチ装置を提供することを目的とする。
【００１１】
【課題を解決するための手段】
本発明は、時計の筐体内に所定の範囲で移動自在に案内され、押圧操作に応じて前記時計に内蔵されたスイッチの状態を操作するスイッチ体と、
前記押圧操作に抗する向きに前記スイッチ体を付勢する弾性手段と、
解放位置にある前記スイッチ体への押圧操作によって移動する当該スイッチ体を第１の押し込み停止位置で停止させ、前記第１の押し込み停止位置にある押圧が解放され前記弾性手段の付勢力によって移動するスイッチ体を押し込み位置に停止させ、当該押し込み位置にあるスイッチ体への押圧操作によって移動する当該スイッチ体を第２の押し込み停止位置に停止させ、前記第２の押し込み停止位置にあり押圧が解放され前記付勢力によって移動するスイッチ体を前記解放位置で停止させる、前記スイッチ体の有する可撓性の弾性アームの係合部と係合するカム部と、を具備する目覚し時計の鳴り止めスイッチ装置において、
前記カム部は、前記弾性アームの係合部と係合し、かつ、前記弾性アームの配置方向上に略位置する、前記スイッチ体を前記解放位置に停止させる解放位置用係止部および前記押し込み位置に停止させる押し込み位置用係止部と、
前記弾性アームの係合部と係合し、かつ、前記弾性アームの両側に位置する前記スイッチ体を前記第１および第２の押し込み停止位置に停止させる第１および第２の押し込み停止位置用係止部と、
前記弾性アームの係合部を前記解放位置用係止部、第１の押し込み停止位置用係止部、押し込み位置用係止部および第２の押し込み停止位置用係止部の順に案内する案内手段と、
前記各係止部に移動する前記弾性アームの係合部が摺動する摺動面と、
前記摺動面上に形成され当該係合部が摺動する、前記係合部の進行方向に向けて登る複数の傾斜面を有し、前記傾斜面の頂部と前記摺動面との間に形成される壁面によって前記弾性アームの係合部の逆行を防ぐ逆行防止手段と、を具備し、  隣り合う前記各傾斜面間に存在する摺動面のうち、少なくとも前記各係止部に停止した状態の係合部が位置する摺動面が同一面上にある。
【００１２】
また、本発明は、時計の筐体内に所定の範囲で移動自在に案内され、押圧操作に応じて前記時計に内蔵されたスイッチの状態を操作するスイッチ体と、
前記押圧操作に抗する向きに前記スイッチ体を付勢する弾性手段と、
解放位置にある前記スイッチ体への押圧操作によって移動する当該スイッチ体を第１の押し込み停止位置で停止させ、前記第１の押し込み停止位置にある押圧が解放され前記弾性手段の付勢力によって移動するスイッチ体を押し込み位置に停止させ、当該押し込み位置にあるスイッチ体への押圧操作によって移動する当該スイッチ体を第２の押し込み停止位置に停止させ、前記第２の押し込み停止位置にあり押圧が解放され前記付勢力によって移動するスイッチ体を前記解放位置で停止させる、前記スイッチ体の有する可撓性の弾性アームの係合部と係合するカム部と、を具備する目覚し時計の鳴り止めスイッチ装置において、
前記カム部は、前記弾性アームの係合部と係合し、かつ、前記弾性アームの配置方向上に略位置する、前記スイッチ体を前記解放位置に停止させる解放位置用係止部および前記押し込み位置に停止させる押し込み位置用係止部と、
前記弾性アームの係合部と係合し、かつ、前記弾性アームの両側に位置する前記スイッチ体を前記第１および第２の押し込み停止位置に停止させる第１および第２の押し込み停止位置用係止部と、
前記弾性アームの係合部を前記解放位置用係止部、第１の押し込み停止位置用係止部、押し込み位置用係止部および第２の押し込み停止位置用係止部の順に案内する案内手段と、
前記各係止部に移動する前記弾性アームの係合部が摺動する摺動面と、
前記摺動面上に形成され当該係合部が摺動する、前記係合部の進行方向に向けて登る複数の傾斜面を有し、前記傾斜面の頂部と前記摺動面との間に形成される壁面によって前記弾性アームの係合部の逆行を防ぐ逆行防止手段と、を具備し、  前記弾性アームの係合部は、少なくとも前記第１の押し込み停止位置用係止部部に位置する状態で前記傾斜面と対向し、かつ、前記弾性アームの前記摺動面に沿った方向の撓み量を減少させる向きに傾斜した傾斜面部を有する。
【００１３】
本発明では、解放位置にあるスイッチ体が押圧されると、弾性アームの係合部は、カム部において解放位置用係止部から案内されて第１の押し込み停止位置用係止部に係止する。このとき、弾性アームは、係合部の移動する面に沿った方向に撓んだ状態になるが、第１の押し込み停止位置用係止部にある平面は他の係止部に位置する平面と同一面上にあるため、係合部の移動する面に垂直な向きには撓みが発生しない。
同様に、スイッチ体への押圧を解放して弾性アームの係合部が押し込み位置用係合部に係止した状態および再度スイッチ体への押圧によって弾性アームの係合部が第２の押し込み停止位置用係止部に係止した状態でも係合部の移動する面に垂直な向きには撓みが発生しない。
【００１４】
【発明の実施の形態】
以下、本発明の実施の形態について図面を参照して説明する。
図１は、本発明が適用される鳴り止めスイッチ装置の一例を示す図であって、ケースからスイッチ体を取り外した状態を示す平面図である。図２は、図１のスイッチ体をケースに装着した状態を示す図である。図３は、図２のケースに形成されたカム部およびスイッチ体の弾性アームの近傍の側面図である。
なお、図１〜図３に示す各構成要素のうち、図１７において説明した鳴り止めスイッチ装置と同一の構成要素については同一の符号で示している。
【００１５】
図１において、たとえば、目覚し時計本体に内蔵される時計ムーブメントのケース１は、ハート形カム部３０と、４か所に設けられ、スイッチ体２を上下方向に移動自在に案内保持する案内突起４と、ストッパ用突起２０と、圧縮ばね７を挿入保持する収納枠１１とを具備している。
【００１６】
スイッチ体２は、上記の各案内突起４に係合する案内面部２４と、ストッパ用突起２０に係合するストッパ突片２１と、スイッチ体２に一体に形成され先端に係合部５２を備える弾性アーム５１と、レバー腕部２６と、下端部に設けられたばね受け部１７とを有する。
【００１７】
図２に示すように、スイッチ体２はケース１に対して矢印Ａの向きから装着され、各案内面部２４が対応する案内突起４に係合し案内保持される。
レバー腕部２６は、スイッチ体２を矢印Ｂ１の向きに押圧操作することにより、スイッチ体２が移動して時計ムーブメント内に設けられた目覚し時計の目覚まし音の出力をオン、オフするための目安スイッチと係合して、当該スイッチの接続状態を操作する。
ばね受け部１７は、上記の圧縮ばね７の先端部を保持する挿入穴を有しており、圧縮バネ７が挿入され、圧縮バネ７からの付勢力を受ける。
ストッパ突片２１は、スイッチ体２がケース１に対して先端がストッパ用突部２０に当接し、スイッチ体２の矢印Ｂ１方向への移動を規制する。
【００１８】
また、弾性アーム５１は、先端に設けられた係合部５２がハート形カム部３０と係合し、スイッチ体２の矢印Ｂ１およびＢ２方向への移動に応じて、図２に示す矢印Ｆ１およびＦ２の向きに撓む。
図３は、図２のケース１に形成されたカム部３０およびスイッチ体２の弾性アーム５１の近傍の側面図である。
図３に示すように、弾性アーム５１は、スイッチ体２の矢印Ｂ１およびＢ２方向への移動に応じて、矢印Ｅ１およびＥ２の向きにも撓む。
【００１９】
図４は、上記のカム部３０の構成の一例を示す平面図である。
図４に示すように、カム部３０は、周囲にハート形に形成された周壁部３２を具備し、周壁部３２に囲まれた領域には、案内凸部３１が設けられている。また、周壁部３２の内周側には周壁部３２に隣接して段差高部３３が設けられている。
案内凸部３１と周壁部５および段差高部３３との間には弾性アーム５１の係合部５２が摺動するカム面３０ａ〜３０ｏが形成されている。
【００２０】
図５は、上記のカム面３０ａ〜３０ｏの高低を示す図であり、図６は図４のＡ−Ａ方向から見たときのカム部の各カム面の高さ関係を示す図であり、図７は図４のＢ−Ｂ方向から見たときのカム部の各カム面の高さ関係を示す図である。
図５に示すように、カム面３０ａは水平面であり、カム面３０ｂはカム面３０ａに底部が連続する傾斜面であり、カム面３０ｃはカム面３０ｂの頂部に連続する水平面である。
カム面３０ｄはカム面３０ｃとの間に段差を有する水平面であり、カム面３０ｅはカム面３０ｄと底部が連続する傾斜面であり、カム面３０ｆはカム面３０ｅの頂部が連続する水平面である。
カム面３０ｇは、カム面３０ｆとの間に段差を有する水平面であり、カム面３ｈは底部がカム面３０ｇと連続する傾斜面であり、カム面３０ｉはカム面３ｈの頂部と連続する傾斜面である。
カム面３０ｊは、カム面３０ｉとの間で段差を有する水平面であり、カム面３０ｋは底部がカム面３０ｊと連続する傾斜面であり、カム面３０ｌは、カム面３０ｋの頂部と連続する水平面である。
カム面３０ｍは、カム面３０ｌとの間に段差を有する水平面であり、カム面３０ｎは底部がカム面３０ｍと連続する傾斜面であり、カム面３０ｏは、カム面３０ｎの頂部と連続しかつカム面３０ａとの間に段差を有する水平面である。
また、カム面３０ａ、３０ｄ、３０ｇ、３０ｊ、３０ｍは同一の面上に位置している。
【００２１】
図６に示すように、段差高部３３の上面３３ｅは、周壁部３２の上面３２ａよりも低い位置にあるが、上記の各カム面３０ａ〜３０ｏよりも高い位置にある。図７に示すように、案内突部３１の上面３１ａは周壁部３２の上面３２ａと同じ高さにある。
【００２２】
また、図４に示すように、周壁部３２の内壁面３２ｂは、弾性アーム５１の係合部５２の係止部Ｐ１を形成している。係止部Ｐ１は、弾性アーム５１の係合部５２を係止させることにより、スイッチ体２を目覚まし時計本体に対して解放位置に位置させる。
段差高部３３の側壁面である案内面３３ａおよび停止面３３ｂは、係合部５２の係止部Ｐ２を形成しており、段差高部３３の側壁面３３ａおよび３３ｃは傾斜面となっている。係止部Ｐ２は、弾性アーム５１の係合部５２を係止させることにより、スイッチ体２を押圧した際にスイッチ体２の押し込みを停止させる第１の押し込み停止位置に位置させる。
案内突部３１の側壁面３１ｃおよび３１ｄは、係合部５２の係止部Ｐ３を形成している。係止部Ｐ３は、弾性アーム５１の係合部５２を係止させることにより、スイッチ体２を目覚まし時計本体に対して押し込んだ状態の押し込み位置に位置させる。
また、段差高部３３の側壁面３３ｄと周壁部３２の内壁面３２ｂとによって係合部５２の係止部Ｐ４を形成している。係止部Ｐ４は、弾性アーム５１の係合部５２を係止させることにより、スイッチ体２を押圧した際にスイッチ体２の押し込みを停止させ、第２の押し込み停止位置に位置させる。
なお、第１および第２の押し込み停止位置は、押し込み位置よりさらにスイッチ体２が押し込まれた位置にあり、また、第１および第２の押し込み停止位置は異なる位置であっても、同一の位置であっても良いが、通常は同一の位置である。
【００２３】
図８は弾性アーム５１の係合部５２の形状の一例を示す平面図であり、図９は図８に示す弾性アーム５１の係合部５２のＣ−Ｃ線方向の断面図であり、図１０は図８に示す弾性アーム５１の係合部５２の下面図であり、図１１は図８に示す弾性アームを矢印Ｄ方向から見た側面図である。
図８〜図１１に示すように、弾性アーム５１の係合部５２は、弾性アーム５１の長手方向に沿った平行面５２ａ、５２ｂを有し、先端面５２ｅが平面となっている。この先端面５２ｅに一方側に隣接して傾斜面５２ｃを有し、他方側には段差部を構成する面５２ｄおよび５２ｆを有している。
【００２４】
次に、鳴り止めスイッチ装置の動作の一例を図１２〜図１６を参照して説明する。
たとえば、スイッチ体２がオン状態の位置、すなわち、スイッチ体２が目覚し時計本体から突出した状態では、弾性アーム５１の係合部５２は、カム部３０の周壁部３２の内周側面３２ｂの係止部Ｐ１に係止しており、弾性アーム５１は撓んだ状態にない。
【００２５】
この状態から、図１２に示すように、スイッチ体２を押圧してスイッチをオフ状態にしようとすると、弾性アーム５１の係合部５２は、カム部３０の案内凸部３１の側面の案内面３１ｂに案内されながら傾斜面であるカム面３０ｂを上り、カム面３０ｃを通ってカム面３０ｄに落ちる。
このとき、弾性アーム５１には、係合部５２がカム面３０ｃを通過するまではカム面が形成された面に沿った方向の撓みおよびこれに垂直な方向の撓みの両方が生じるが、係合部５２がカム面３０ｄに落ちるとカム面が形成された面に垂直な方向の撓みはなくなる。
【００２６】
カム面３０ｄに移動した係合部５２は、段差高部の側壁面である傾斜した案内面３３ａに案内されて傾斜面であるカム面３０ｅおよび３０ｆを移動し、カム面３０ｇに落ち、係合部５２の平行面５２ａが段差高部３３の側壁面である停止面３３ｂに当接して停止し、係合部５２は係止部Ｐ２に位置する。
このとき、弾性アーム５１の係合部５２の傾斜面５２ｃは、図１３に示すように、傾斜面であるカム面３０ｈに対向した状態となり、傾斜面５２ｃはカム面３０ｈを逃げるかたちとなる。なお、弾性アーム５１の係合部５２が係止部Ｐ２に位置すると、確実にスイッチはオフ状態となる。
【００２７】
この状態からスイッチ体２の押圧をやめると、図１４に示すように、スイッチ体２は圧縮ばね７の付勢力によって、押し上げられ、案内突部３１の傾斜面３１ｃに向かって移動し、これに当接する。続いて、案内突部３１の傾斜面３１ｃによって案内されながら、カム面３０ｈ、３０ｉを通過し、係合部５２はカム面３０ｊに落ち、案内突部３１の側壁面である停止面３１ｄに当接して停止し、係合部５２が係止部Ｐ３に位置する。
この状態では、弾性アーム５１は、いずれの方向にも弾性変形していない。
【００２８】
上記の状態から、再度スイッチをオンする場合には、再度スイッチ体２を押圧する。
スイッチ体２を押圧すると、図１５に示すように、弾性アーム５１の係合部５２は、段差高部３３の側壁面である傾斜面３３ｃに向かって移動し、傾斜面３３ｃに当接し、傾斜面３３ｃによって案内されてカム面３０ｋ、３０ｌを通過してカム面３０ｍに落ちる。
弾性アーム５１の係合部５２がカム面３０ｍに落ちた状態では、図１６に示すように、係合部５２の面５２ｄと５２ｆによって形成された段差部がカム面３０ｌとカム面３０ｍとの間にある段差に嵌合する。
弾性アーム５１の係合部５２はさらに進んで、カム部３０の周壁部３２の内周側面３２ｂに当接し、かつ、段差高部３３の側壁面３３ｄに当接した状態となり、係止部Ｐ４に位置する。
【００２９】
この状態では、弾性アーム５１のカム面に沿った方向には上記とは逆の撓みが発生し、カム面に垂直な方向では撓みは発生していない。
スイッチ体２への押圧力を除去すると、スイッチ体２は圧縮バネ７の付勢力によってカム面３０ｍ上を移動し、再び係止部Ｐ１に復帰し、スイッチはオン状態となる。
【００３０】
本実施形態によれば、カム面３０ａ、３０ｄ、３０ｇ、３０ｊおよび３０ｍは同一面上に位置するため、弾性アーム５１の係合部５２がカム面３０ａ、３０ｄ、３０ｇ、３０ｊに位置するときには、カム面に垂直な方向の撓みが発生しない。このため、弾性アーム５１の係合部５２が、係止部Ｐ２、Ｐ３、Ｐ４に位置した状態で長時間保持されたり、高温下に置かれても、弾性アーム５１の変形を防止できる。
また、弾性アーム５１の係合部５２は傾斜面５２ｃを有しているため、たとえば、弾性アーム５１の係合部５２が係止部Ｐ２に位置している場合に、弾性アーム５１のカム面に沿った方向の撓み量を低減することができ、上記のような状態におかれても弾性アーム５１の変形を最小限に抑えることができる。
さらに、弾性アーム５１の係合部５２は、段差部を形成する面５２ｄおよび５２ｆを有するため、係合部５２がカム面３０ｍに落ちた際に、段差部がカム面３０ｌとカム面３０ｍとの間にある段差に嵌合することで、係止部Ｐ４に位置する係合部５２の弾性アーム５１に発生する撓み量を抑制することが可能となる。
また、弾性アーム５１にカム面に沿った方向の変形があっても、弾性アーム５１の係合部５２は、段差高部３３の側壁面３３ａ、３３ｂ、３３ｃを強制的に滑り、各カム面３０ｇ、３０ｊ、３０ｍに落ちたとき、係合部５２の有する面５２ｄが傾斜するカム面と水平面からなるカム面との間に形成される壁面に係合して停止するため、弾性アーム５１の係合部５２を強制的に適切な位置に移動させることができる。
【００３１】
以上のように、本実施形態によれば、弾性アーム５１にカム面に垂直な方向の変形を抑制できるとともに、カム面に沿った方向の変形があっても強制的に係合部５２を所望の位置に確実に移動させることができるので、弾性アーム５１の変形によるスイッチ操作の不具合に対する安全性を向上させることができる。
この結果、弾性アーム５１に高価な樹脂材料を用いたり、弾性アーム５１を別部品とする必要がなくなる。
【００３２】
なお、上述した実施形態では、カム部３０の係止部Ｐ１、係止部Ｐ２およびＰ４は、弾性アーム５１の係合部５２を係止させてスイッチ体２を解放位置、第１および第２の押し込み停止位置に位置させる構成としたが、本発明はこれに限定されない。たとえば、図２に示したケース１のストッパ用突部２０とスイッチ体２のストッパ片２１とを当接させることによって、スイッチ体２を解放位置に停止させ、案内突起４とスイッチ体２の当接面部２５とを当接させることによって、スイッチ体２を同じ位置である第１および第２の押し込み停止位置に停止させる構成としてもよい。この場合には、係止部Ｐ１、係止部Ｐ２およびＰ４において、弾性アーム５１の係合部５２と周壁部３２の内壁面３２ｂとの間に多少のクリアランスを持たせる。
また、上述した実施形態では、本発明のスイッチ装置を鳴り止めスイッチ装置に適用した場合について説明したが、本発明はこれに限定されるわけではなく、たとえば、スイッチ体２の押圧操作によって目覚まし音の種類を順次変更するスイッチ等に適用することも可能である。
【００３３】
【発明の効果】
本発明によれば、各係止部に弾性アームの係合部が位置した状態での係合部が摺動する摺動面に垂直な向きの弾性アームの撓みを抑制し、かつ係合部が第１の係止部に停止した状態での弾性アームの摺動面に沿った方向の撓み量を抑制でき、この結果、弾性アームの変形を極力抑制することができ、スイッチ操作の不具合を解消することができる。
【図面の簡単な説明】
【図１】本発明が適用される鳴り止めスイッチ装置の一例を示す図であって、ケースからスイッチ体を取り外した状態を示す平面図である。
【図２】図１のスイッチ体をケースに装着した状態を示す図である。
【図３】図２のケースに形成されたカム部およびスイッチ体の弾性アームの近傍の側面図である。
【図４】本発明に係るカム部の構成の一例を示す平面図である。
【図５】図４に示すカム部の各カム面の高さ関係を示す図である。
【図６】図４のＡ−Ａ方向から見たときのカム部の各カム面の高さ関係を示す図である。
【図７】図４のＢ−Ｂ方向から見たときのカム部の各カム面の高さ関係を示す図である。
【図８】本発明に係る弾性アームの係合部の形状の一例を示す平面図である。
【図９】図８に示す弾性アームの係合部のＣ−Ｃ線方向の断面図である。
【図１０】図８に示す弾性アームの係合部の下面図である。
【図１１】図８に示す弾性アームを矢印Ｄ方向から見た側面図である。
【図１２】本発明に係る鳴り止めスイッチ装置の動作状態の一例を示す平面図である。
【図１３】図１２に示す状態における係合部とカム面との位置関係を示す図である。
【図１４】本発明に係る鳴り止めスイッチ装置の図１２に続く動作状態を示す平面図である。
【図１５】本発明に係る鳴り止めスイッチ装置の図１４に続く動作状態を示す平面図である。
【図１６】図１５に示す状態における係合部とカム面との位置関係を示す図である。
【図１７】従来の鳴り止めスイッチ装置の構造を示す平面図である。
【図１８】図１７に示す鳴り止めスイッチ装置のカム部の構成の一例を示す平面図である。
【図１９】図１８に示すカム部のカム面の高さ関係を示す図である。
【符号の説明】
１…ケース
２…スイッチ体
３０…カム部
５１…弾性アーム
５２…係合部
３０ａ〜３０ｏ…カム面（摺動面）
３１…案内突部（案内手段）
３２…周壁部
３２ｂ…内壁面３２ｂ（案内手段）
３３…段差高部
Ｐ１〜Ｐ４…係止部
【図１】
0003553416.tif 000002
【図２】
0003553416.tif 000003
【図３】
0003553416.tif 000004
【図４】
0003553416.tif 000005
【図５】
0003553416.tif 000006
【図６】
0003553416.tif 000007
【図７】
0003553416.tif 000008
【図８】
0003553416.tif 000009
【図９】
0003553416.tif 000010
【図１０】
0003553416.tif 000011
【図１１】
0003553416.tif 000012
【図１２】
0003553416.tif 000013
【図１３】
0003553416.tif 000014
【図１４】
0003553416.tif 000015
【図１５】
0003553416.tif 000016
【図１６】
0003553416.tif 000017
【図１７】
0003553416.tif 000018
【図１８】
0003553416.tif 000019
【図１９】
0003553416.tif 000020